(57)【要約】      （修正有）【課題】スイートスポットの範囲を拡大するとともに、打球の性能を有効に高めることができるゴルフクラブヘッドを提供する。【解決手段】フェース板２には中央エリア２１、拡大エリア２２と二個の側辺エリア２３が含まれる。中央エリア２１はフェース板２の中心位置の区域に位置される。拡大エリア２２は中央エリア２１を囲んで隣接するように形成され、拡大エリア２２が相対する両側はヘッド本体１に向って延伸するように形成され、拡大エリア２２にはそれぞれ拡大部２２１が形成されてヘッド本体１と連接するように形成される。二個の側辺エリア２３はそれぞれ拡大エリア２２が他に相対する両側と隣接してヘッド本体１と連接するように形成され、さらに拡大エリア２２の肉厚は中央エリア２１の肉厚よる小さく、そして側辺エリア２３の肉厚は拡大エリア２２の肉厚より小さくなるように構成されている。【選択図】図１
0003149583.tif 000002
【実用新案登録請求の範囲】
【請求項１】
ヘッド本体（１）およびフェース板（２）を有するゴルフクラブヘッドにおいて、フェース板（２）には中央エリア（２１）、拡大エリア（２２）および二個の側辺エリア（２３、２３）が含まれ、中央エリア（２１）はフェース板（２）の中心位置の区域に位置するように形成され、拡大エリア（２２）は中央エリア（２１）を囲むようにかつ隣接するように形成され、拡大エリア（２２）が相対する両側はヘッド本体（１）に向って延伸するように形成され、さらに拡大エリア（２２）にはそれぞれ拡大部（２２１、２２１）が形成され、拡大部（２２１、２２１）はヘッド本体（１）と連接するように形成され、二個の側辺エリア（２３、２３）はそれぞれ拡大エリア（２２）が他に相対する両側と隣接してヘッド本体（１）と連接するように形成され、さらに拡大エリア（２２）の肉厚は中央エリア（２１）の肉厚よる小さくなるように形成され、そしてそれぞれの側辺エリア（２３、２３）の肉厚は拡大エリア（２２）の肉厚より小さくなるように形成されることを特徴とするゴルフクラブヘッド。
【請求項２】
拡大部（２２１）の各部位の肉厚は同じになるように形成されることを特徴とする請求項１記載のゴルフクラブヘッド。
【請求項３】
拡大エリア（２２）には二個の円弧形フランジ（２２２、２２２）が形成され、円弧形フランジ（２２２、２２２）は拡大エリア（２２）が中央エリア（２１）とそれぞれの側辺エリア（２３、２３）との間に挟設される部分からなり、さらにそれぞれの円弧形フランジ（２２２、２２２）は中央エリア（２１）からそれぞれの側辺エリア（２３、２３）の方向に向って突出して延伸するように形成されることを特徴とする請求項１または２記載のゴルフクラブヘッド。
【請求項４】
拡大部（２２１、２２１）の各々はそれぞれヘッド本体（１）のクラウン部（１２）およびソール部（１３）と連接するように形成され、二個の側辺エリア（２３、２３）はそれぞれヘッド本体（１）のトー部（１１）およびヒール部（１４）と連接するように形成されることを特徴とする請求項１または２記載のゴルフクラブヘッド。
【請求項５】
拡大部（２２１、２２１）の各々はそれぞれヘッド本体（１）のクラウン部（１２）およびソール部（１３）と連接するように形成され、二個の側辺エリア（２３、２３）はそれぞれヘッド本体（１）のトー部（１１）およびヒール部（１４）と連接するように形成されることを特徴とする請求項３記載のゴルフクラブヘッド。
【請求項６】
中央エリア（２１）と拡大エリア（２２）の隣接する部位には傾斜連接エリア（２４）が形成され、そして拡大エリア（２２）と側辺エリア（２３、２３）の各々との隣接する部位にはそれぞれ傾斜連接エリア（２５）が形成されることを特徴とする請求項１または２記載のゴルフクラブヘッド。
【請求項７】
フェース板（２）の中央エリア（２１）の肉厚は３．３ミリで、拡大エリア（２２）の肉厚は３．０ミリで、そして各側辺エリア（２３）の肉厚は２．５ミリであることを特徴とする請求項１または２記載のゴルフクラブヘッド。
【考案の詳細な説明】
【技術分野】
【０００１】
本考案は、ゴルフクラブヘッドに関するもので、特に異なる肉厚を有するフェース板を適用することにより打球のスイートスポット（Sweet Spot）を拡大することができるゴルフクラブヘッドに係るものである。
【背景技術】
【０００２】
従来のゴルフクラブヘッドとして、アメリカ特許第７,１４７,５７５号「ゴルフクラブヘッド」においては、図４に示すように、ゴルフクラブヘッドにはヘッド本体６およびフェース板７が含まれる。フェース板７は、異なる肉厚を有する複数個の楕円形のエリア、すなわち、中央楕円エリア７１、第一同心エリア７２、第二同心エリア７３、第四同心エリア７４、ヒール部近接エリア７５およびトー部近接エリア７６に分けられる。第一同心エリア７２は中央楕円エリア７１を囲み、そして第一同心エリア７２の肉厚は中央楕円エリア７１より小さくなるように形成される。第二同心エリア７３は第一同心エリア７２を囲み、そして第二同心エリア７３の肉厚は第一同心エリア７２より小さくなるように形成され、第一同心エリア７２は中央楕円エリア７１と第二同心エリア７３との間に位置するように形成される。第三同心エリア７４は第二同心エリア７３を囲み、そして第三同心エリア７４の肉厚は第二同心エリア７３より小さくなるように形成され、第二同心エリア７３は第一同心エリア７２と第三同心エリア７４との間に位置するように形成される。ヒール部近接エリア７５およびトー部近接エリア７６は第三同心エリア７４の相互に対向する各側にそれぞれ隣接するように、かつ、ヘッド本体６のヒール部およびトー部（表示せず）に近接するように形成され、さらにヒール部近接エリア７５とトー部近接エリア７６の肉厚は第三同心エリア７４より小さくなるように形成される。これにより、フェース板７は中央部分の肉厚が最も大きくなるように、そして四周に向って肉厚が段々と薄くなるような構造に形成され、さらにフェース板７の反発係数（Coefficient of Restitution, COR）は０．８７に達するようにしたものがある（例えば、特許文献１を参照）。
【０００３】
また、従来のゴルフクラブヘッドとして、アメリカ特許番号第６,９９７,８２０号「改良されたフェース板を有するゴルフクラブヘッド」にあっては、図５、６に示すように、ゴルフクラブヘッドにはヘッド本体８およびフェース板９が含まれる。フェース板９はヘッド本体８に結合されてゴルフクラブヘッドとして形成される。フェース板９も異なる肉厚を有する複数個のエリア、すなわち、垂直エリア９１、ヒール部近接エリア９２およびトー部近接エリア９３に分けられる。ヒール部近接エリア９２とトー部近接エリア９３はそれぞれヘッド本体８のヒール部およびトー部（表示せず）に近接するように形成されるとともに、垂直エリア９１が相互に対向する両側に隣接するように形成される。垂直エリア９１の肉厚はヒール部近接エリア９２とトー部近接エリア９３の肉厚より大きくなるように形成される。その特徴として、フェース板９の中心の部位とヘッド本体８の端縁に隣接する部位にそれぞれ凹欠部９４が設けられ、フェース板９の二個の凹欠部９４における部位の肉厚が垂直エリア９１の肉厚より小さく、そしてヒール部近接エリア９２の肉厚より大きくなるように形成される。これにより、前述のアメリカ特許番号第７,１４７,５７５号における中央部分の肉厚が最も大きくかつ四周に向って肉厚が段々と薄くなるような構造とは異なり、フェース板９の中心の部位の肉厚は周囲の肉厚より小さくなるように形成されることにより（図６参照）、フェース板９の質量に分布を調整できるようにしたものがある（例えば、特許文献２を参照）。
【先行技術文献】
【特許文献】
【０００４】
【特許文献１】アメリカ特許番号第７,１４７,５７５号
【特許文献２】アメリカ特許番号第６,９９７,８２０号
【考案の概要】
【考案が解決しようとする課題】
【０００５】
上述した従来のゴルフクラブヘッドにおいて、一般として下記の問題点を有している。例えば、前者のゴルフクラブヘッドでは、フェース板７の肉厚が中央楕円エリア７１の中心から四周に向って肉厚が段々と薄くなるような構造に形成されることにより、フェース板７の反発係数を高めることができるが、同時にフェース板７の周縁のエリアは肉厚が小さいため、構造の強度が低くなり、フェース板７が打球の応力を受けた時に変形して壊れてしまい、さらにゴルフクラブヘッドの使用寿命が短くなるという問題点を有する。また、このような多層化な肉厚の変化（五個の肉厚の異なる変化）では、フェース板７の製造時においてはその反発係数を制御し難いため、ＵＳＧＡ（United States Golf Association）の標準的な規定である「ＣＴ（Characteristic Time）が２５７マイクロ秒（microsecond）より大きくならない」という規定に違反すると同時に、製造上においても大変複雑になるという問題点を有する。
【０００６】
また、後者の従来のゴルフクラブヘッドにおいては、例えば、フェース板９の中央に近接する部位は打球のスイートスポットで、その部位では比較的大きい打球の応力と衝撃力を受ける。しかし、それぞれの凹欠部９４の設置により上記部位の肉厚は不足になるため、充分な構造の強度を提供することができず、そしてフェース板９のスイートスポットの面積を減らしてしまい、さらにフェース板９の中央の部位は全てスイートスポットでなくなるため、打球性能が低くなるとともに、使用者が比較的良好な打球スポットを見出すことができないという問題点を有する。また、フェース板９が二個の凹欠部９４の部位における肉厚が比較的薄いため、フェース板９のスイートスポットの反発係数はＵＳＧＡの標準的な規定から逸脱し易いという問題点を有する。このように、上記のような従来のゴルフクラブヘッドをさらに改良しなければならない。
【０００７】
本考案はこのような問題点に鑑みて考案したものであって、その主な目的とするところは、従来のゴルフクラブヘッドでは構造の強度が低く、打球のスイートスポットが縮小されるなどの問題点を改良し、構造の強度が高く、スイートスポットの面積を高めることにより、打球の安定性を高めるとともに、使用上の寿命を延ばすことができるゴルフクラブヘッドを提供しようとするものである。
【課題を解決するための手段】
【０００８】
上記目的を達成するために、本考案によるゴルフクラブヘッドは、下記のようになるものである。すなわち、
ヘッド本体およびフェース板を有する。フェース板には中央エリア、拡大エリアと二個の側辺エリアが含まれる。中央エリアはフェース板の中心位置の区域に位置するように形成される。拡大エリアは中央エリアを囲むようにかつ隣接するように形成され、拡大エリアが相対する両側はヘッド本体に向って延伸するように形成され、さらに拡大エリアにはそれぞれ拡大部が形成され、拡大部はヘッド本体と連接するように形成される。二個の側辺エリアはそれぞれ拡大エリアが他に相対する両側と隣接してヘッド本体と連接するように形成され、さらに拡大エリアの肉厚は中央エリアの肉厚よる小さくなるように形成され、そしてそれぞれの側辺エリアの肉厚は拡大エリアの肉厚より小さくなるように形成される。これにより、スイートスポットの範囲を拡大するとともに、ゴルフクラブヘッドの打球性能を効果的に高めることができる。
【０００９】
また、本考案によるゴルフクラブヘッドは、拡大エリアには二個の円弧形フランジが形成され、円弧形フランジは拡大エリアが中央エリアとそれぞれの側辺エリアとの間に挟設される部分からなり、さらにそれぞれの円弧形フランジは中央エリアからそれぞれの側辺エリアの方向に向って突出して延伸するように形成される。これにより、スイートスポットの範囲を拡大し延伸することができるとともに、ＵＳＧＡの標準的な規定の規格に符合することができる。
【００１０】
さらに、本考案によるゴルフクラブヘッドは、それぞれの拡大部がそれぞれヘッド本体のクラウン部およびソール部と連接するように形成され、二個の側辺エリアはそれぞれヘッド本体のトー部およびヒール部と連接するように形成される。これにより、フェース板の構造の強度を強化することができるとともに、弾性変形の空間を提供することができる。
【考案の効果】
【００１１】
本考案によるゴルフクラブヘッドは、スイートスポットの範囲を拡大するとともに、ゴルフクラブヘッドの打球の性能を有効に高めることができるという利点がある。
【００１２】
本考案によるゴルフクラブヘッドは、スイートスポットの範囲を拡大し延伸することができるとともに、ＵＳＧＡの標準的規定の規格に符合することができるという利点がある。
【００１３】
本考案によるゴルフクラブヘッドは、フェース板の構造の強度を強化することができるとともに、弾性変形の空間を提供することができるという利点がある。
【図面の簡単な説明】
【００１４】
【図１】本考案の実施形態のゴルフクラブヘッドを示す正面図である。
【図２】図１の線２−２に沿った断面図である。
【図３】図１の線３−３に沿った断面図である。
【図４】従来のゴルフクラブヘッドを示す正面図である。
【図５】従来のもう一つのゴルフクラブヘッドを示す正面図である。
【図６】図５線６−６に沿った断面図である。
【考案を実施するための形態】
【００１５】
本考案の実施の形態について、以下、図面を参照して説明する。
【００１６】
図１は本考案の実施形態によるゴルフクラブヘッドの正面図で、図２は図１の線２−２に沿った断面図、図３は図１の線３−３に沿った断面図である。図１を参照すると、本考案の実施形態のゴルフクラブヘッドは、好ましくはウッド型、アイアン型またはパター型などのヘッドの構造からなる。本考案の実施形態においてはウッド型のヘッドを例に挙げて説明する。ヘッドにはヘッド本体１およびフェース板２が含まれる。フェース板２はヘッド本体１の正面に対応するように結合されることにより、共同してゴルフクラブヘッドを形成することができる。
【００１７】
ヘッド本体１の材質は炭素鋼、低炭素鋼、ステンレス鋼（例えば１７‐４ＰＨステンレス鋼）、合金鋼、低合金鋼、フェロ−マンガン−アルミ合金、ニッケル合金、鋳鉄、構造用鋼、超合金鋼またはチタン合金などの金属材質からなる。また、ヘッド本体１には実質的にトー部（toe）１１、クラウン部（crown）１２、ソール部（sole）１３、ヒール部（heel）１４とホーゼル（hosel）などのゴルフクラブヘッドの基本構造が含まれる。その他に、フェース板２は、好ましくは相対的に高い弾性変形能力または振動吸収の能力を有する金属材質からなり、例えば炭素鋼、ステンレス鋼（例えば１７‐４ＰＨステンレス鋼）、合金鋼、ニッケル合金、鋳鉄、超合金鋼、フェロ−マンガン−アルミ合金、チタン合金、銅合金、アルミ合金、マグネシウム合金またはこれら金属の組合せからなる。
【００１８】
再び図１、２を参照すると、フェース板２はゴルフボール（図示せず）を打球するのに用いられ、フェース板２には中央エリア２１、拡大エリア２２と二個の側辺エリア２３が区分される。中央エリア２１は、好ましくはフェース板２の中心位置の円形の区域に位置するように形成され、そしてフェース板２が中央エリア２１における肉厚ｔ１は、好ましくは３．３ミリ（mm）である。拡大エリア２２は中央エリア２１を囲むようにかつ中央エリア２１に隣接するように形成される。拡大エリア２２の肉厚ｔ２は、中央エリア２１の肉厚ｔ１より小さくなるように形成される。本考案の実施形態において肉厚ｔ２は好ましくは３．０mmである。また、拡大エリア２２が相対する両側はヘッド本体１のクラウン部１２とソール部１３に向って延伸するようにそれぞれ拡大部２２１が形成され、拡大部２２１はヘッド本体１と連接するように形成される。
【００１９】
二個の側辺エリア２３はそれぞれ拡大エリア２２と隣接し、そしてヘッド本体１のトー部１１およびヒール部１４と連接するように形成され、拡大エリア２２は二個の側辺エリア２３の間に挟設される。それぞれの側辺エリア２３は肉厚ｔ３を有し、肉厚ｔ３は拡大エリア２２の肉厚ｔ２より小さくなるように形成され、そして好ましくは２．５mmである。中央エリア２１、拡大エリア２２と側辺エリア２３の肉厚をｔ１＞ｔ２＞ｔ３の関係に形成させることにより、フェース板２の打球の正面（標示せず）は中央エリア２１からヘッド本体１のヒール部１４とトー部１１に向って階段状かつ多層化した突出構造（図２参照）に形成される。その他に、拡大部２２１の肉厚は中央エリア２１の肉厚ｔ１と側辺エリア２３の肉厚ｔ３の間に介在するように形成され、拡大部２２１は好ましくは同じ肉厚からなり、そして拡大部２２１の肉厚は最良として３．０mmである。
【００２０】
再び図１、２、３を参照すると、拡大エリア２２には二個の円弧形フランジ２２２が形成され、それぞれの円弧形フランジ２２２は拡大エリア２２が中央エリア２１とそれぞれの側辺エリア２３との間に挟設される部分からなり、さらにそれぞれの円弧形フランジ２２２は中央エリア２１からそれぞれの側辺エリア２３の方向に向って突出して延伸するように形成される。その他に、中央エリア２１と拡大エリア２２との間、および拡大エリア２２とそれぞれの側辺エリア２３との間には全て肉厚の差が存在しているため、中央エリア２１と拡大エリア２２との隣接する部位には傾斜連接エリア２４が形成され、そして拡大エリア２２とそれぞれの側辺エリア２３との隣接する部位にはそれぞれ傾斜連接エリア２５が形成される。
【００２１】
再び図１、２、３を参照すると、拡大エリア２２の拡大部２２１は中央エリア２１とヘッド本体１との間に連接されることにより、フェース板２が中央エリア２１とヘッド本体１との間における肉厚は変わることなく維持することができる（全てがｔ２である）。このように、拡大部２２１を設けることにより充分な構造の強度を提供し、打球時に生じる衝撃力に対抗し、フェース板２が破裂して壊れてしまうのを避けることができるため、本考案の実施形態におけるゴルフクラブヘッドの使用上の寿命を延ばすことができる。また、フェース板２を薄型化にして反発係数を高めようとする時、拡大部２２１の構造の設計によれば、フェース板２の全体のＣＴ（Characteristic Time）は２５７マイクロ秒（microsecond）より大きくならないため（すなわち反発係数は０．８３を超えない）、ＵＳＧＡの標準的な規定に符合することができる。
【００２２】
また、フェース板２の表面形状は非正円形であり、非正円形の拡大エリア２２を利用して中央エリア２１を囲む時、二個の拡大部２２１と合わせてヘッド本体１およびクラウン部１２とソール部１３を連接することにより、さらに二個の円弧形フランジ２２２をヘッド本体１のトー部１１とヒール部１４に向って突出するように延伸する設計によれば、フェース板２が有する特性時間（Characteristic Time、ＣＴ）が２２０マイクロ秒（microsecond）より大きい区域は、打球の正面の面積の６３％を占めることにより、フェース板２のスイートスポット（Sweet Spot）は中央エリア２１とは限らず、中央エリア２１から周囲に向って拡大することにより、スイートスポットの範囲も延伸されるため、ゴルフクラブヘッドの打球性能と安定性を有効に高めることができる。その他に、本考案のゴルフクラブヘッドを使用してゴルフボールを打球する時、拡大エリア２２とそれぞれの側辺エリア２３の肉厚が全て中央エリア２１の肉厚より小さくなるように形成されることにより（ｔ１＞ｔ２＞ｔ３）、フェース板２が後方へ向って弾性変形する空間を提供することができるため、フェース板２の弾性変形の自由度を高めることができる。
【産業上の利用可能性】
【００２３】
上述の如く、本考案のゴルフクラブヘッドによれば、拡大エリア２２の拡大部２２１がヘッド本体１と中央エリア２１の間に連接されることにより、フェース板２を薄型化にした時、ゴルフクラブヘッドの全体構造の強度を保つことができるとともに、打球のスイートスポットの面積を拡大することができるため、打球の性能を高めることができる。
【００２４】
本考案は、その精神及び必須の特徴事項から逸脱することなく他のやり方で実施することができる。従って、本明細書に記載した好ましい実施例は例示的なものであり、限定的なものではない。
【符号の説明】
【００２５】
１    ヘッド本体
１１    トー部
１２    クラウン部
１３    ソール部
１４    ヒール部
１５    ホーゼル
２    フェース板
２１    中央エリア
２２    拡大エリア
２２１    拡大部
２２２    円弧形フランジ
２３    側辺エリア
２４    傾斜連接エリア
２５    傾斜連接エリア
ｔ１    肉厚
ｔ２    肉厚
ｔ３    肉厚
６    ヘッド本体
７    フェース板
７１    中央楕円エリア
７２    第一同心エリア
７３    第二同心エリア
７４    第三同心エリア
７５    ヒール部近接エリア
７６    トー部近接エリア
８    ヘッド本体
９    フェース板
９１    中間エリア
９２    ヒール部近接エリア
９３    トー部近接エリア
９４    凹欠部
【図１】
0003149583.tif 000003
【図２】
0003149583.tif 000004
【図３】
0003149583.tif 000005
【図４】
0003149583.tif 000006
【図５】
0003149583.tif 000007
【図６】
0003149583.tif 000008